(57)【要約】【課題】施工負荷を低減させるとともに内部配管の部品数を減少させる水栓取付方法及び水栓取付構造を提供する。【解決手段】湯水混合部を有する水栓本体の一対の接続部に、剛性を有する一対の連結管の前端を接続し、該一対の連結管の後端を、壁の前面側に沿って配設されたカウンタの前板に設けられた一対の挿通孔に挿通し、前記カウンタの前記挿通孔と対向する壁部分に固定された一対の水栓固定具に、内部を湯水が通水可能な一対のクランク脚部の一端を接続し、該一対のクランク脚部の他端と前記一対の連結管の後端とを連通させる。【選択図】  図３
2009121125.tif 000002
【特許請求の範囲】
【請求項１】
湯水混合部を有する水栓本体の一対の接続部に、剛性を有する一対の連結管の前端を接続し、
該一対の連結管の後端を、壁の前面側に沿って配設されたカウンタの前板に設けられた一対の挿通孔に挿通し、
前記カウンタの前記挿通孔と対向する壁部分に固定された一対の水栓固定具に、内部を湯水が通水可能な一対のクランク脚部の一端を接続し、
該一対のクランク脚部の他端と前記一対の連結管の後端とを連通させる
ことを特徴とする水栓取付方法。
【請求項２】
壁の前面側に沿って配設され、その前板に一対の挿通孔が設けられたカウンタと、
該カウンタの前記一対の挿通孔と対向する壁部分に固定された一対の水栓固定具と、
一端が該一対の水栓固定具に接続され、内部を湯水が通水可能な一対のクランク脚部と、
湯水混合部を有する水栓本体と、
前記一対の挿通孔に挿通されるとともに、その前端が前記水栓本体の一対の接続部に連通し、その後端が前記一対のクランク脚部の他端に連通する剛性を有する一対の連結管と、
を備えることを特徴とする水栓取付構造。
【発明の詳細な説明】
【技術分野】
【０００１】
本発明は、水栓取付方法及び水栓取付構造に係り、特にカウンタの前板に配置される水栓を前板の後方の壁部分に固定する水栓取付方法及び水栓取付構造に関する。
【背景技術】
【０００２】
従来、浴室等の壁の前面側に沿ってカウンタを配設し、このカウンタの前板に水栓を配設することはよく行われている。ところが、浴室の壁まで配管される設備配管としての給水管・給湯管の先端には、施工誤差があり、この施工誤差を吸収する方法として、フレキシブル管を用いる方法と、クランク状に屈曲したソケット（以下、「クランク脚部」という。）を用いる方法とがある。
【０００３】
このうち、クランク脚部を用いるものとして、壁の前面側に沿ってカウンタが配設され、カウンタの前板と対向する壁部分に２つの水栓固定具が固定され、カウンタの前板と壁部分との間に設けられた隙間に一対の剛性を有する接続管が配置され、各接続管の後端部は上記各水栓固定具に夫々ねじ込みにより接続され、各接続管の前端部はカウンタの前板を貫挿しており、上記前板を貫挿した接続管の前端部に水栓の接続部がねじ込みにより接続されていると共に、各接続管同士が回り止め部材により回り止め状態で互いに連結されている水栓の固定構造が知られている（例えば、特許文献１参照。）。
【０００４】
この固定構造によれば、フレキシブル管を用いる方法における、金属枠を壁部分に固定する作業と、フレキシブル管の両端部を壁側の水栓固定具とカウンタ側の水栓固定具とに夫々接続する作業と、カウンタ側の水栓固定具の前端部に水栓の接続部をねじ込む作業を行なっているため、水栓の取付けに手間がかかり、施工性が低下するという問題は低減される。
【０００５】
また、この固定構造によれば、フレキシブル管を用いる方法における、金属枠とフレキシブル管と２つの水栓固定具とを必要とするために、部品数が増加し、コストの増加を招くという問題も低減される。 
【特許文献１】特許第３３１５０４０号公報
【発明の開示】
【発明が解決しようとする課題】
【０００６】
しかしながら、特許文献１に記載された固定構造においても、その接続箇所は、接続管の後端部を水栓固定具にねじ込む箇所と、クランク脚部を接続管の前端部にねじ込む箇所と、クランク脚部の他端部と水栓側の連結管とをナットで連結する箇所との計３箇所となり、接続箇所が多く、これに伴い水漏れの可能性が多くなるという問題がある。
【０００７】
これに加え、特許文献１に記載された固定構造では、２本の接続管を回り止め状態とすべく、回り止め部材の両端に設けた開口部を両方の接続管の外周に夫々嵌め込み、ねじにより回り止め部材と接続管７とを夫々固定する必要があり、作業工数が増加するとともに、回り止め部材のコストも増加する。
【０００８】
本発明は、上述した事情を考慮してなされたもので、施工負荷を低減させるとともに内部配管の部品数を減少させる水栓取付方法及び水栓取付構造を提供することを目的とするものである。
【課題を解決するための手段】
【０００９】
本発明に係る水栓取付方法は、上述した課題を解決するために、請求項１に記載したように、湯水混合部を有する水栓本体の一対の接続部に、剛性を有する一対の連結管の前端を接続し、該一対の連結管の後端を、壁の前面側に沿って配設されたカウンタの前板に設けられた一対の挿通孔に挿通し、前記カウンタの前記挿通孔と対向する壁部分に固定された一対の水栓固定具に、内部を湯水が通水可能な一対のクランク脚部の一端を接続し、該一対のクランク脚部の他端と前記一対の連結管の後端とを連通させるものである。
【００１０】
他方、上述した課題を解決するために、請求項２に係る水栓取付構造は、壁の前面側に沿って配設され、その前板に一対の挿通孔が設けられたカウンタと、該カウンタの前記一対の挿通孔と対向する壁部分に固定された一対の水栓固定具と、一端が該一対の水栓固定具に接続され、内部を湯水が通水可能な一対のクランク脚部と、湯水混合部を有する水栓本体と、前記一対の挿通孔に挿通されるとともに、その前端が前記水栓本体の一対の接続部に連通し、その後端が前記一対のクランク脚部の他端に連通する剛性を有する一対の連結管とを備えるものである。
【発明の効果】
【００１１】
本発明に係る水栓取付方法及び水栓取付構造によれば、施工負荷を低減させるとともに内部配管の部品数を減少させることができる。
【発明を実施するための最良の形態】
【００１２】
本発明に係る水栓取付方法及び水栓取付構造の実施の形態について、添付図面を参照して説明する。図１は、本発明の一実施形態に係る水栓取付構造により取り付けられた水栓を備える浴室の概要を示すものである。
【００１３】
この浴室には、浴槽２と隣接して洗い場床３が設けられ、浴室の一方の壁４の前面側に沿って、浴槽側から洗い場床を隔てて浴槽に対向する壁面まで、カウンタ６が配設される。このカウンタ６は、天板及び前板が一体に成形され、カウンタ６の下面には、カウンタ６とは別体のアンダーカバー７が取設される。そして、カウンタ６の前板に、水栓本体１０が突設される。
【００１４】
図２に、本実施形態に係る水栓取付構造１の詳細を示す。図２は、カウンタ６下面のアンダーカバー７を取り外して、下方から見た斜視図である。この図に示しように、カウンタ６は、カウンタ支持材８により支持される。
【００１５】
本実施形態に係る水栓取付構造１は、同図に示すように、カウンタ６と、このカウンタ６の一対の挿通孔６ａ，６ａと対向する壁４部分に固定された一対の水栓固定具１１，１２と、一端がこの一対の水栓固定具１１，１２に接続され、内部を湯水が通水可能な一対のクランク脚部１３，１３と、水栓本体１０と、カウンタ６の一対の挿通孔６ａ，６ａに挿通されるとともに、その前端部１４ｂが前記水栓本体１０の一対の接続部１０ｅ，１０ｆに連通し、その後端部１４ｃが前記一対のクランク脚部１３，１３の他端に連通する剛性を有する一対の連結管１４，１４とを備える。
【００１６】
壁４に固定された給水管用水栓固定具１１及び給湯管用水栓固定具１２（以下、総称する場合、「水栓固定具１１，１２」という）は、壁４背面において、図示しない設備配管としての給水管及び給湯管と接続され、内面に雌ねじが螺刻されている。
【００１７】
クランク脚部１３は、水栓固定具１１，１２の雌ねじに螺合された水栓固定具側接続部１３ａと、水栓固定具側接続部１３ａの軸線に直角に屈曲した脚部１３ｂと、脚部１３ｂの軸線に直角に屈曲し、連結管１４に接続される雌ねじが螺刻されたナットを有する連結管側接続部１３ｃとからなる。
【００１８】
また、連結管１４は、筒状の本体１４ａに、クランク脚部１３の連結管側接続部１３ｃのナットに螺合する雄ねじを有する後端部１４ｂと、水栓本体１０の接続部１０ｅ，１０ｆに螺合する雌ねじを有する前端部１４ｃとを追加したものである。
【００１９】
この一対の連結管１４，１４は、カウンタ６前板部に設けられた一対の挿通孔６ａ，６ａを、ゴム付Ｓカッション１５，１５を介して挿通される。
【００２０】
水栓本体１０は、水平に配置された筒状の湯水混合部１０ａの一端に温度調節レバー１０ｂ、他端に吐水量調節レバー１０ｃが取設され、湯水混合部１０ａ中央下端には湯水を吐出するスパウト１０ｄが突出する。
【００２１】
水栓本体１０の裏面には、連結管１４に連通する給水管接続部１０ｅ及び給湯管接続部１０ｆ（以下、総称する場合、「接続部１０ｅ，１０ｆ」という）が延出し、接続部１０ｅ，１０ｆの外周には、それぞれ雄ねじが螺刻されている。
【００２２】
本実施の形態に係る水栓取付構造は上記のように構成されており、以下その取付方法について説明する。図３は、本実施形態に係る水栓の取付フロー図である。
【００２３】
まず、水栓本体１０に連結管１４，１４を接続する（ステップＳ１）。これは、連結管１４の前端部１４ｃの雌ねじを接続部１０ｅ，１０ｆの雄ねじに螺合させることにより行う。この作業は、予め工場において行われるので、浴室設置現場の負担とならない。
【００２４】
次に、浴室設置現場において、洗い場床３や浴槽２が設置され、壁４パネルが立設された後、壁４パネルに取り付けられた水栓固定具１１，１２に、クランク脚部１３、１３を接続する（ステップＳ２）。これは、水栓固定具１１，１２に螺刻された雌ねじにクランク脚部１３，１３の水栓固定具側接続部１３ａ，１３ａの雄ねじを螺合させることにより行う。
【００２５】
そして、連結部１４，１４が接続された水栓本体１０を一旦クランク脚部１３，１３に仮付けし、クランク脚部１３の位置決めを行う（ステップＳ３）。この仮付けは、クランク脚部１３の連結管側接続部１３ｃの雄ねじに、連結管１４の後端部１４ｂの雌ねじを螺合させて行い、クランク脚部１３の位置決めは、クランク脚部１３の脚部１３ｂをそれぞれ回動させることにより行う。これにより、水栓本体１０の水平が確保される。
【００２６】
水栓本体１０の水平が決まると、水栓本体１０を連結管１４，１４共々取り外し、カウンタ支持材８上にカウンタ６を載置して（ステップＳ４）、カウンタ６の位置決めを行う。この際、カウンタ６に設けられた挿通孔６ａ，６ａには、ゴム付Ｓカッション１５，１５が取り付けられている。
【００２７】
続いて、連結管１４，１４が接続された水栓本体１０の本付けを行う（ステップＳ５）。それには、連結管１４の後端部１４ｂを挿通孔６ａに取り付けられたゴム付Ｓカッション１５に挿通した後、仮付けの場合と同様、クランク脚部１３の連結管側接続部１３ｃのナットに、連結管１４の後端部１４ｂの雄ねじを螺合させる。
【００２８】
最後に、カウンタ５のカバー６をねじ止めして（ステップＳ６）、水栓本体１０の取付が終了する。
【００２９】
この水栓取付方法によれば、接続箇所は、クランク脚部１３を水栓固定具１１，１２に接続する箇所と、クランク脚部１３と連結管１４の後端部１４ｂとを接続する箇所の計２箇所で済み、従来の３回よりも施工負荷が軽減される。
【００３０】
そして、従来の２本の連結管が共回りするのを防止する共回り防止材が不要となるので、その取付工数が不要となると同時に、内部配管の部品数が減り、コストダウンを図ることができる。
【００３１】
また、クランク脚部１３がカウンタ６内に隠蔽されるので、やや複雑な形状のクランク脚部１３が露出せず、清掃がし易くなるとともに、意匠性が向上する。
【００３２】
さらに、水栓本体１０のカウンタ６前板からの出が小さくなるので、洗い場の空間を広く使用することも可能となる。
【００３３】
加えて、水栓本体１０は、水栓固定具１１，１２に支持され、カウンタ６にその荷重がかからないので、カウンタ６を頑丈なものとしなくてもよい。
【００３４】
以上に説明した実施態様は説明のためのものであり、本発明の範囲を制限するものではない。したがって、当業者であればこれらの各要素もしくは全要素をこれと均等なものによって置換した実施態様を採用することが可能であるが、これらの実施態様も本発明の範囲に含まれる。
【図面の簡単な説明】
【００３５】
【図１】本発明に係る水栓取付構造により取り付けられた水栓を備える浴室の概要を示す図。
【図２】一実施形態に係る水栓取付構造を示す斜視図。
【図３】本実施形態に係る水栓の取付フロー図。
【図４】水栓本体と連結管とを接続する図。
【図５】クランク脚部を水栓固定具に接続する図。
【図６】水栓本体を仮付けする図。
【図７】カウンタを支持材に載置する図。
【図８】水栓本体をクランク脚部に接続する図。
【符号の説明】
【００３６】
１  水栓取付構造
２  浴槽
３  洗い場床
４  壁
５  カウンタ
６  カバー
６ａ  挿通孔
７  アンダーカバー
８  カウンタ支持材
１０  水栓本体
１０ａ  湯水混合部
１０ｂ  温度調節レバー
１０ｃ  吐水量調節レバー
１０ｄ  スパウト
１０ｅ  給水管接続部
１０ｆ  給湯管接続部
１１  給水管用水栓固定具
１２  給湯管用水栓固定具
１３  クランク脚部
１３ａ  水栓固定具側接続部  
１３ｂ  脚部
１３ｃ  連結管側接続部
１４  連結管
１４ａ  本体
１４ｂ  後端部
１４ｃ  前端部
１５  ゴム付Ｓカッション
【図１】
2009121125.tif 000003
【図２】
2009121125.tif 000004
【図３】
2009121125.tif 000005
【図４】
2009121125.tif 000006
【図５】
2009121125.tif 000007
【図６】
2009121125.tif 000008
【図７】
2009121125.tif 000009
【図８】
2009121125.tif 000010